(57)【特許請求の範囲】
【請求項１】
外周枠より一体的に突出する仕切枠を介して上部に肩紐挿通用の第一空間、下部にカップ側連結布挿通用の第二空間を備え、
上記外周枠は、上部の円弧状の肩紐繋留部と、下部の水平状のカップ側連結布繋留部と、これら上下の肩紐繋留部とカップ側連結布繋留部とを連続する左右両側部とを一体的に備えた形状で、
上記仕切枠は、上記左右両側部に連結させて上記第一空間と第二空間を完全に上下に仕切るとともに、上記左右いずれか一方の胸部中央側に向かって下方傾斜する傾斜部を設け、第一空間を円弧状あるいは三日月状とし、
上記仕切枠により、上記外周枠の幅方向中心を通る上下基準線に対して左右を非対称とし、上記肩紐挿通用の第一空間は左右方向の一方側を他方側より大きくし、上記空間の大きい側は肩紐の可動許容量を大とする一方、他方は肩紐が一定以上動かない構成としていることを特徴とする肩紐連結具。
【請求項２】
外周枠より一体的に突出する仕切枠を介して上部に肩紐挿通用の第一空間、下部にカップ側連結布挿通用の第二空間を備え、
上記外周枠は、上部の円弧状の肩紐繋留部と、下部の水平状のカップ側連結布繋留部と、これら上下の肩紐繋留部とカップ側連結布繋留部とを連続する左右両側部とを一体的に備えた形状で、
上記仕切枠は、上記左右両側部に連結させて上記第一空間と第二空間を完全に上下に仕切るとともに、上記左右いずれか一方の胸部中央側に向かって下方傾斜する傾斜部を設け、第一空間を円弧状あるいは三日月状とし、
上記仕切枠により、上記外周枠の幅方向中心を通る上下基準線に対して左右を非対称とし、
身体装着時において、上記肩紐挿通用の第一空間は、その左右方向の一方側となる身体内側空間を他方側の身体外側空間より大きくし、上記身体内側空間で肩紐の可動許容量を大として自由に内側に向けられるようにする一方、身体外側空間では肩紐が一定以上動かない構成としていることを特徴とする肩紐連結具。
【請求項３】
上記第一空間は、その一部の水平方向の幅を、肩紐の幅以上として、肩紐を傾斜させずに真っすぐな状態で挿通できるようにしている請求項１または請求項２に記載の肩紐連結具。
【請求項４】
上記外周枠の左右いずれか他方の脇側部に、上記第二空間と連通するカップ側連結布を通す開口を設けている請求項１乃至請求項３のいずれか１項に記載の肩紐連結具。
【発明の詳細な説明】
【０００１】
【発明の属する技術分野】
本発明は、ブラジャー、ボデイスーツ、ブラジャー付きスリップ等に取り付けられる肩紐連結具に関し、特に、肩紐が肩からずり落ちないようにするものである。
【０００２】
【従来の技術】
従来、この種の肩紐連結具として種々のものが提案されている。例えば、図１０（Ａ）（Ｂ）（Ｃ）に示す特開平６−３１５４０５で提案されている連結具１は、水平直線棒状の仕切り部１ｃを挟んで、上方の肩紐挿通空間１ａが直線状であるのに対し、下方のカップ側連結布挿通空間１ｂが円弧形状に形成されている。これにより、図１０（Ｂ）（Ｃ）に示すように、カップ布４に対してカップ側連結布５が円弧状に摺動し、着用者の肩の角度、体形、さらに身体挙動に応じて肩紐３を移動し、フィットさせやすい利点がある。
【０００３】
しかしながら、上記連結具１は、円弧状のカップ側連結布５が挿通空間１ｂに沿って摺動するため、肩紐方向も内側、外側の双方に傾き、肩からずり落ちやすいという問題がある。
【０００４】
この問題に関し、実用新案登録第３０５４１５０号では、図１１に示す連結具２が提案されている。即ち、全体として矩形状をなすこの連結具２は、上下に肩紐挿通空間２ａとカップ側連結布挿通空間２ｂを備え、肩紐挿通空間２ａは肩紐を挿通可能とする細い長方形状で、内側に傾斜させている。この肩紐挿通空間２ａに肩紐３を通すことにより、肩紐３を内側へ傾け、肩からのズレ落ちを防止している。
【０００５】
【発明が解決しようとする課題】
しかしながら、この連結具２では、カップ布４に対する肩紐３の方向が固定されるため、身体挙動に応じた肩紐３の移動が難しくフィット感に欠けると共に、バストの重量が一定箇所に直接的かつ集中的にかかりやすく、肩凝りや肩への肩紐の食い込み等の問題がある。
【０００６】
本発明は上記問題に鑑みてなされたもので、肩紐のズレ落ちを防止すると共に、身体挙動に応じて肩紐位置を可動し、肩への負担を分散できる肩紐連結具の提供を課題としている。
【０００７】
【課題を解決するための手段】
上記課題を解決するため、本発明は、外周枠より一体的に突出する仕切枠を介して上部に肩紐挿通用の第一空間、下部にカップ側連結布挿通用の第二空間を備え、
上記外周枠は、上部の円弧状の肩紐繋留部と、下部の水平状のカップ側連結布繋留部と、これら上下の肩紐繋留部とカップ側連結布繋留部とを連続する左右両側部とを一体的に備えた形状で、
上記仕切枠は、上記左右両側部に連結させて上記第一空間と第二空間を完全に上下に仕切るとともに、上記左右いずれか一方の胸部中央側に向かって下方傾斜する傾斜部を設け、第一空間を円弧状あるいは三日月状とし、
上記仕切枠により、上記外周枠の幅方向中心を通る上下基準線に対して左右を非対称とし、上記肩紐挿通用の第一空間は左右方向の一方側を他方側より大きくし、上記空間の大きい側は肩紐の可動許容量を大とする一方、他方は肩紐が一定以上動かない構成としていることを特徴とする肩紐連結具を提供している。
【０００８】
上記肩紐連結具は、肩紐と取り付けた衣類を着用した時に、上記肩紐挿通用の第一空間は、その左右方向の一方側となる身体内側空間（胸部中央寄り空間）を他方側の身体外側空間（脇側寄り空間）より大きくし、上記身体内側空間で肩紐の可動許容量を大として自由に内側に向けられるようにする一方、身体外側空間では肩紐が一定以上動かない構成としている。
【０００９】
上記のように、連結具は、肩紐が自由に可動する空間を設けているとともに、この空間を、身体装着時に身体内側（胸部中央寄り）となる空間を外側（脇側寄り）の空間より大としているため、肩紐は内側に向かって傾斜角度を代えて自由に移動でき、身体挙動への追従性を高めることができる一方、外側には一定以上移動できないため、肩紐が外側に向かって肩からずり落ちることを防止できる。
【００１０】
上記肩紐挿通用空間となる第一空間は、その一部の水平方向の幅を肩紐の幅以上として、肩紐を傾斜させずに真っすぐな状態で挿通できるようにしている。  該構成とすると、肩紐を連結具の第一空間に容易に挿通させることができる。
【００１１】
上記外周枠は、上部の円弧状の肩紐繋留部と、下部の水平状のカップ側連結布繋留部と、これら上下の肩紐繋留部とカップ側連結布繋留部とを連続する左右両側部とを一体的に備えた形状で、
上記仕切枠は、上記左右両側部に連結させて上記第一空間と第二空間を完全に上下に仕切るとともに、上記内側（胸部中央側）に向かって下方傾斜する傾斜部を設け、第一空間を円弧状あるいは三日月状としている。
【００１２】
詳細には、上記仕切枠は下端縁を略水平とすると共に上端縁を胸部中央側へと傾斜させた直線とする略三角形状としている。外周枠の肩紐繋留部を仕切枠の両端から上方に延在させ、互いに近接する方向に湾曲させて略円弧形状に連続させる一方、該仕切枠と外周枠の下部の間にカップ側連結布を挿通する細い矩形状の上記第二空間を設けている。
【００１３】
即ち、肩紐挿通用の第一空間は、肩紐繋留部が上端部に向かって幅狭となる円弧形状であると共に、下端は内側（胸部中央側）を低く、外側（脇側）を高くしているため、上記上下基準線を基準として左右の空間は非対称となる。よって、身体への装着時に、身体内側空間が外側空間よりも大きく、肩紐の可動容積が大きなり、内側への摺動余地が長くなる一方、外側への摺動余地は殆ど無くなる。従って、着用時の肩紐が、肩紐繋留部のカーブに沿って内側へ傾斜しようとする力が作用すると共に、外側への摺動を阻止して、肩紐の肩からのズレ落ちを防止している。また、該肩紐を下方から支える仕切枠の上端縁が内側に傾斜しているため、肩紐が肩から浮いて緩み、肩紐繋留部から離反した状態になっても、ズレ落ち防止効果を発揮することができる。このズレ落ち防止効果は、この肩紐連結具をカップ布との連結のみでなく背面布との連結にも用いることにより、一層大きくなる。
【００１４】
また、肩紐は肩紐繋留部の円弧形状に沿って左右に摺動するため、着用者の体形や身体挙動に応じて肩紐は最適方向に移動し、身体にフィットしやすい構造となっている。さらに、バストの重量等による肩紐への加重は、該肩紐が一定方向、一定位置に固定されず内側へと摺動することにより分散され、肩凝りや肩紐の食い込み等を軽減することができ、着用感を良好にすることができる。
【００１５】
上記仕切枠の上端縁の下端縁に対する傾斜角度は１０度以上３５度以下、好ましくは１５度以上３０度以下の範囲としている。即ち、肩紐の肩からのずり落ちを阻止するには、１０度より小さな傾斜では不十分であるが、３５度よりも大きな傾斜とすると、傾斜が大きくなりすぎ、肩紐が真っすぐな状態で連結具に取付できなくなることによる。
【００１６】
なお、仕切枠の上端縁は上記のように幅方向の全体を傾斜させることに限定されず、外周枠の外側（脇側）から内側（胸部中央側）へと下方へ円弧状に湾曲させてもよい。また、外側から水平方向に突出させた後、途中から内側へと下向きに直線傾斜あるいは湾曲傾斜させてもよい。
いずれの形状も、肩紐挿通用の第一空間において、身体側空間を外側空間よりも大として、肩紐の内向きの可動範囲を大とする一方、肩紐の外向きの可動範囲を規制している。
【００１７】
また、外周枠の脇側部に上記第二空間と連通する開口を設け、該開口を通して、連結具をカップ側と取り外し自在としてもよい。
【００１８】
具体的には、仕切枠の下端縁を上記開口側に向かって傾斜させて切り欠く一方、連結布繋留部を構成する下部の開口端には上方へ屈曲させた係止部を上記切欠と対向させて設け、連結布を挿入しやすく、かつ、挿入後に離脱しにくい形状としている。
【００２２】
【発明の実施の形態】
以下、本発明の実施形態を図面を参照して説明する。
【００２３】
図１乃至図３は本実施形態の第１実施形態に係る着脱不可能な肩紐連結具１０を示し、ブラジャーの背面布に一端を連結した肩紐３をカップ布４側の連結布５と連結するものである。
【００２４】
上記肩紐連結具１０は、外周枠２０と仕切枠１３とを一体的に設けた金属製あるいは樹脂製である。外周枠２０は全体としてドーム形状を呈し、その上部の肩紐繋留部１１は円弧形状とし、下部のカップ側連結布繋留部１２は水平状とし、これら上下の繋留部を連結する略垂直状の左右両側部２０ａ、２０ｂからなる。着用時には、上記左右いずれか一方の側部２０ａが外側（脇側）となり、他方２０ｂが内側（胸部中央側）となる。
【００２５】
仕切枠１３は、図１及び図２に示すように、左右両側部２０ａと２０ｂとの間を連続する略三角形状とし、外周枠２０の内部を上部の肩紐挿通用空間の第一空間１５と下部の連結布挿通用の第二空間１６に仕切っている。
該仕切枠１３は、水平直線の下端縁１３ａと、身体装着時に身体内側に傾斜させた上端縁１３ｂを備え、上端縁１３ｂの下端縁１３ａに対する傾斜角度θは２１度としている。また、外側端縁１３ｃは内側へわずかに円弧を描いて凹部１４を形成している。
【００２６】
上記肩紐繋留部１１は仕切枠１３の上端縁１３ｂの内側端１３ｄと外側端（上端点）１３ｅの両方から上方へ延在して上端１１ａに向かって湾曲する円弧形状で、該肩紐繋留部１１と仕切枠１３の上端縁１３ｂとで囲まれた略半円形状の中空部を肩紐挿通用の第一空間１５としている。
【００２７】
上記第一空間１５は、その下端縁（仕切枠の上端縁）を傾斜させていることにより、連結具１０の幅方向の中心を通る上下基準線Ｘに対して左右両側が非対称となり、身体内側の空間Ｃ１を外側の空間Ｃ２より大としている。
【００２８】
また、第一空間１５の傾斜した仕切枠１３の下端縁の長さＬ１は、肩紐幅Ｗ１がＬ１の０.７倍〜０．９倍の範囲内となるように設定し、本実施形態では、Ｌ１を約１．１ｃｍとして、０．８ｃｍの肩紐幅Ｗ１がＬ１の約０．７３倍となるように設定している。該設定とすることにより、肩紐３を傾斜させずに、図３（Ａ）に示すように第一空間１５に肩紐３を真っすぐな方向に通すことが出来るようにしている。  なお、本実施形態において、肩紐３の幅Ｗ１、肩紐連結具と連結するカップ布４の連結布５の幅Ｗ２は、いずれも０．８ｃｍとしている。
【００２９】
上記カップ側連結布の繋留部１２は仕切枠下端縁１３ａの間に水平方向の細い空間からなる閉断面の第二空間１６を構成している。この第二空間１６の長さＬ２を、連結布５の幅Ｗ２がＬ２の０．７倍から０．９倍の範囲内となるように設定し、本実施形態では、Ｌ２を１ｃｍとして、０．８ｃｍの幅Ｗ２がＬ２の０．８倍となるように設定している。
【００３０】
上記構成の肩紐連結具１０の第一空間１５に肩紐３の先端を通して、肩紐繋留部１１に引っかけた状態で折り返して縫着して肩紐３を肩紐連結具１０に取り付ける。この時、図３（Ａ）に示すように、仕切枠１３の上端１３ｅを通る水平位置に肩紐３を通すと、肩紐３を傾斜させずに真っすぐな状態で通すことができる。
同様に、第二空間１６にカップ側連結布５を通して繋留部１２に引っ掛け、折り返した後に縫着し、連結布５を肩紐連結具１０に取り付ける。
【００３１】
このように、肩紐連結具１０に肩紐３を取り付けた状態では、肩紐３は図３（Ａ）に示すように真っすぐに上方を延在する方向に取り付けられる。ブラジャーの着用時、肩紐繋留部１１は上端部１１ａに向かって幅狭となる円弧形状であると共に、外側円弧１１ｃは仕切枠１３の上端点１３ｅによって短く設定されているため、外側への摺動は阻止され、肩からのズレ落ちを防止することができる。また、肩紐３が肩から浮くなど緩んだ状態においては、図３（Ｂ）に示すように、肩紐繋留部１１の内側円弧１１ｂに接する肩紐３の内側端３ｂが下方へすべると共に、図３（Ｃ）に示すように、仕切枠１３の上端縁１３ｂが下方から肩紐３を支えて内側に傾斜させようとする。これらにより、肩紐３は常に内側へ傾斜しようとすると共に外側への傾斜が阻止されるため、肩からのずり落ちを防止して、着用感とバストの安定感の向上を図ることができる。
【００３２】
また、内側への摺動が可能であるため、肩紐３の位置および方向は固定されず、着用者の体形や身体挙動に対応して最適位置に移動させることができると共に、バスト重量による肩紐への加重も分散され、肩懲りや肩への食い込みを軽減させることができる。
【００３３】
さらに、外周枠２０の左右いずれか一方で側部２０ａに凹部１４を形成することにより、該凹部１４を目印として、製造工程において該肩紐連結具１０を内外逆向きに誤着することを防止することができる。
【００３４】
図４（Ａ）（Ｂ）は第１実施形態の変形例を示し、仕切枠１３の形状を変えている。図４（Ａ）では、仕切枠１３の上端縁１３ｂを、外周枠２０の左右いずれか一方で脇側となる外側部２０ａから内側２０ｂへと下方へ円弧状に湾曲させている。この場合には、肩紐挿通用の第一空間１５は三日月形状となる。
図４（Ｂ）では、仕切枠１３を外側部２０ａから水平方向に突出させた後、途中から上端縁１３ｂを内側へと下向きに直線傾斜させている。
図４（Ｃ）は参考変形例を示し、仕切枠１３の上端縁１３ｂを外側部２０ａから水平方向に突出させた後、下向きに屈折させ、再度水平方向へと屈折させて内側部２０ｂに連続させてもよい。すなわち、内枠部の上端縁を段状としている。
【００３５】
図５（Ａ）（Ｂ）は更に他の変形例を示し、図５（Ａ）は図４（Ｂ）の仕切枠１３の上端縁を外周枠の外側部２０ａから内側に傾斜角度を変えて下方傾斜させている。同様に、図５（Ｂ）は、図４（Ｃ）の仕切枠１３の外側部２０ａからの上端縁を傾斜させている。
【００３６】
このように、いずれの形状も、肩紐挿通用の第一空間１５において、身体側空間Ｃ１を外側空間Ｃ２よりも大として、肩紐の内向きの可動範囲を大とする一方、肩紐の外向きの可動範囲を規制している。
【００３７】
図６は第２実施形態の肩紐連結具１０’を示し、この肩紐連結具１０’はカップ側連結布５を着脱自在としている。即ち、連結布挿通空間である第二空間１６を囲む外側部２０ａにカップ側連結布を通す開口１９を設けている。
具体的には、繋留部１２’と仕切枠１３’の対向面を幅方向の中央部で近接させた挟持部１７を形成すると共に、該挟持部１７より開口１９にむかって広がるように、仕切枠１３の下面を切欠いている。かつ、繋留部１２’の開口端には上方へ屈曲させた係止部１８を設け、該係止部１８の内側に抑え部１８ａを形成している。
【００３８】
本実施形態では、肩紐と背面布（図示せず）との連結部も、上記肩紐連結具１０’を介して連結し、肩紐の両端をカップ布と背面布に着脱自在としている。
他の構成は前記第１実施形態と同様としており、同様の符号を付して説明を省略する。
【００３９】
上記のように、肩紐連結具１０’は、カップ布４側の連結布５を開口１９から着脱でき、背面布も同様に着脱することにより、肩紐連結具１０’を含めて肩紐３の着脱が可能となる。よって、一つのブラジャーをアウターによって肩紐付きと肩紐なしに使い分けたり、肩紐自体を付け替えるなど、多様な着こなしが可能となる。また、肩紐なしの場合、連結具がカップ布４の上端部に残らないため、カップ布のみをすっきりと着用することができる。また、肩紐を取り付けた場合には、第１実施形態と同様に、肩紐３の肩からのズレ落ちを防止できると共に、肩紐３の方向や位置が内側へと摺動することにより肩凝り等を緩和することができる。
【００４０】
また、開口１９から取り付けられたカップ側連結布５は、挟持部１７で上下から保持されるため、連結布５が第二空間１６’内で浮き上がり開口１９から外れることを防止すると共に、強い引っ張り等に対しても係止部１８および抑え部１８ａによって肩紐の抜けはずれを防止でき、連結を確実なものとすることができる。
【００４１】
図７（Ａ）（Ｂ）は参考第３実施形態を示し、仕切枠１３”を外周枠２０”の外側部２０ａ”から上記上下基準線Ｘを越えない範囲で内側に突出し、内側の空間を第一空間１５”と第二空間１６”とを連通させている。
上記仕切枠１３”は、外周枠２０”の外側部２０ａ”と円弧形状の肩紐繋留部１１”との連続点近傍から棒状に突出しており、外側（脇側）では上下に仕切っている。図７（Ａ）は上記水平に突出させ、図７（Ｂ）では下方傾斜させて突出させている。
なお、第１実施形態と同様な形状部分は同一符号を付して説明を省略する。
【００４２】
上記構成とすると、肩紐挿通用の第一空間１５が身体側では第二空間１６と連通して肩紐の移動領域が更に拡大し、激しい挙動時に肩紐の追従性をより高めることができる。一方、外側へは仕切枠１３”により移動が規制される構成は第１実施形態と同様であり肩紐が肩からずり落ちるのを防止できる。
【００４３】
図８（Ａ）（Ｂ）（Ｃ）は参考第３実施形態の変形例を示し、図８（Ａ）では、仕切枠１３”を上面を水平とした三角形状としている。図８（Ｂ）では、仕切枠１３”を上下幅を広くして、カップ側連結布が上方へ移動しないように規制している。図８（Ｃ）は仕切枠１３”の上面を傾斜させている。
【００４４】
図９（Ａ）（Ｂ）は参考第４実施形態を示し、図９（Ａ）は外周枠２０”の外側部２０ａ”から下方傾斜させた棒状の仕切枠１３ｘと内側部２０ｂ”から上方傾斜させた棒状の仕切枠１３ｙとを対向させて突出させ、その間に第一空間１５”と第二空間１６”との連通部を設けている。
図９（Ｂ）は仕切枠１３ｘ’、１３ｙ’をそれぞれ三角形状としている。
【００４５】
なお、本発明は上記実施形態に限定されるものではなく、ボディスーツ、ブラスリップ等の肩紐を備えたものに好適に使用することができる。
【００４６】
【発明の効果】
以上の説明より明らかなように、本発明によれば、外周枠より突出する仕切枠により左右を非対称とし、肩紐挿通用の第一空間は左右方向の一方側の身体内側空間を他方側の身体外側空間より大きくし、身体内側空間で肩紐の可動許容量を大として自由に内側に向けられるようにする一方、身体外側空間では肩紐が一定以上動かない構成としているため、肩紐は外側に傾斜して肩からずり落ちることを確実に防止することができる。また、身体側内側空間は可動許容量を大きくしているため、肩紐は内側に向かって傾斜角度を代えて自由に移動でき、身体挙動への追従性を高めることができる。
【００４７】
また、上記のように、肩紐は肩紐繋留部の円弧形状に沿って内側に摺動できるため、肩紐方向および位置は固定されず、体形や身体挙動に応じて適切な位置に移動できるため、フィット感を高めることができる。さらに、バスト重量による肩紐への加重が肩紐の移動により分散され、肩凝りや肩への肩紐の食い込み等を緩和して、着用感を良好とすることができる。
【図面の簡単な説明】
【図１】  本発明の第１実施形態を示す肩紐連結具の全体斜視図である。
【図２】  図１に示す肩紐連結具の正面図である。
【図３】  （Ａ）（Ｂ）（Ｃ）は図１に示す肩紐連結具で肩紐とブラジャーのカップ布を連結した状態を示す図面である。
【図４】  （Ａ）（Ｂ）（Ｃ）は第１実施形態の変形例を示す正面図である。
【図５】  （Ａ）（Ｂ）は第１実施形態の他の変形例を示す正面図である。
【図６】  本発明の第２実施形態に係る肩紐連結具の正面図である。
【図７】  （Ａ）（Ｂ）は本発明の参考第３実施形態に係る肩紐連結具の正面図である。
【図８】  （Ａ）（Ｂ）（Ｃ）は参考第３実施形態の変形例を示す正面図である。
【図９】  （Ａ）（Ｂ）は参考第４実施形態を示す正面図である。
【図１０】  （Ａ）（Ｂ）（Ｃ）は従来例を示す図面である。
【図１１】  他の従来例を示す図面である。
【符号の説明】
３  肩紐
４  カップ布
１０、１０’、１０”  肩紐連結具
１１  肩紐繋留部
１１ａ  上端部
１２  カップ側連結布の繋留部
１３  仕切枠
１７  挟持部
１８  係止部
１９  開口
２０  外周枠
【図１】
0004392116.tif 000002
【図２】
0004392116.tif 000003
【図３】
0004392116.tif 000004
【図４】
0004392116.tif 000005
【図５】
0004392116.tif 000006
【図６】
0004392116.tif 000007
【図７】
0004392116.tif 000008
【図８】
0004392116.tif 000009
【図９】
0004392116.tif 000010
【図１０】
0004392116.tif 000011
【図１１】
0004392116.tif 000012